(57)【要約】      （修正有）【課題】効果的に消音が出来るとともに、口に覆った状態でも発声し続けることが可能であり、自分の声を適切に確認することが可能なマイク型発声消音器を提供する。【解決手段】口まわり密着部１０は、立位した碗状容器１０ａと、碗状容器の開口部の周端部に設けられた軟質素材の密着用筒１０ｂとで構成され、密着用筒の先端がユーザーの口のまわりに密着する。支柱部１１は、碗状容器の下端部に碗状容器の下方に沿って設けられた取っ手用筒で構成され、ユーザーの手で把持可能である。土台部１２は、支柱部の下端部に設けられ、下端部が水平面に設置する。通気口は、碗状容器の内面の下端部から、支柱部を通り、土台部の下端部までを貫通する。貫通孔は、碗状容器の内面の位置で、且つ、碗状容器の開口部と対向する位置に設けられ、碗状容器の内部から外部までを貫通する。チューブ１５は、貫通孔に接続され、イヤフォン１６は、チューブに接続される。【選択図】図１
0003232076.tif 000002
【実用新案登録請求の範囲】
【請求項１】
立位した碗状容器と、前記碗状容器の開口部の周端部に設けられた軟質素材の密着用筒とで構成され、前記密着用筒の先端がユーザーの口のまわりに密着可能な口まわり密着部と、
前記碗状容器の下端部に前記碗状容器の下方に沿って設けられた取っ手用筒で構成され、ユーザーの手で把持可能な支柱部と、
前記支柱部の下端部に設けられ、下端部が水平面に設置可能な土台部と、
前記碗状容器の内面の下端部から、前記支柱部を通り、前記土台部の下端部までを貫通するように形成された通気口と、
前記碗状容器の内面の位置で、且つ、前記碗状容器の開口部から内部に向かって対向する位置に設けられ、前記碗状容器の内部から外部までを貫通するように形成された貫通孔と、
前記貫通孔に接続されたチューブと、
前記チューブに接続されたイヤフォンと、
を備えるマイク型発声消音器。
【請求項２】
前記碗状容器の側面の位置で、且つ、前記碗状容器の開口部から内部に向かって対向する位置に着脱可能に設けられたスポンジを更に備える、
請求項１に記載のマイク型発声消音器。
【考案の詳細な説明】
【技術分野】
【０００１】
本考案は、マイク型発声消音器に関する。
【背景技術】
【０００２】
従来より、自宅等において一人で発声練習をすることが可能で、且つ、周辺に迷惑を掛けないようにするための発声消音器に関する技術が存在する。
【０００３】
例えば、公開実用新案平３−１８５７２号（特許文献１）には、開口部を備えた筒体の一部に小孔を設けた消音カラオケ練習器が開示されている。これにより、大きな声で力一杯歌を歌っても声が小さく消音されて出てくるので、団地やアパート等でも近所に迷惑をかけることがなく、安心して人に知られずに歌の練習が出来るとともに発声の練習になるとしている。
【０００４】
又、特開２００２−２４４６６５号公報（特許文献２）には、咽喉、口腔より発声される音声を、口顎部に密着被覆した漏斗状集音装置で捕捉し、次いでこれに連結するハンディ−型筒状消音装置内の消音手段により減音するように構成した発声消音器が開示されている。これにより、家庭内で子供が勉強中であるとか、テレビ視聴中又は仕事中の人が居るとしても、その環境に影響を与えることがなく、比較的自由に発声練習が可能となり、時間的、空間的、精神的制約から解放される。又、遮音施設が整わない状況下で、声楽家を志す人、応援団関係者等においても、日常生活中に気がねなく大声で練習する事が出来、時間的、精神的、経済的負担から解放される。更に又、本発声消音器は、片手で握り、マイクロホンを持つような感覚で口顎部に密着させて大声で練習が出来るので、携帯にも便利で、利用環境が相当広げられるとしている。
【０００５】
又、特開２０１５−１８０７８号公報（特許文献３）には、本体ユニットと、本体ユニットに直結されるマイク装置及びヘッドホンと、イヤホンジャックを有していてそのイヤホンジャックに接続される接続コードを介して本体ユニットに接続される音楽再生機器が開示されている。マイク装置は、口周辺部に密着して歌声の漏出を防止するフードと、フードの最奥部に配設されるマイク本体とからなる。マイク装置から本体ユニット内に取り込まれた歌声音声信号と、音楽再生機器から接続コードを介して本体ユニット内に取り込まれた伴奏音声信号とが、本体ユニット内のヘッドホン用アンプから同時にヘッドホンに出力される。そして、ヘッドホンにおいて、音楽再生機器からの伴奏とマイク装置からの自らの歌声とを同時に聴取可能にしている。これにより、特別なカラオケ装置が不要で、イヤホンジャックを有する任意の音楽再生機器を用いて使用することができ、歌唱時に音漏れを発生させるおそれがないため、自宅において手軽に使用できる効果があるとしている。
【先行技術文献】
【特許文献】
【０００６】
【特許文献１】公開実用新案平３−１８５７２号
【特許文献２】特開２００２−２４４６６５号公報
【特許文献３】特開２０１５−１８０７８号公報
【考案の概要】
【考案が解決しようとする課題】
【０００７】
しかしながら、上述の特許文献１に記載の技術では、消音カラオケ練習器が筒状になっているため、ユーザーの口に合わせて消音カラオケ練習器を立てる必要があり、ユーザーが発声し難いという課題がある。又、上述の特許文献２に記載の技術では、発声消音器の消音手段が必要となるため、構造が複雑になり、量産し難いという課題がある。更に、上述の特許文献３に記載の技術では、マイク装置にフードを装着する構成であるため、マイク装置等が必要となるため、ユーザーが手軽に発声練習をすることが出来ないという課題がある。
【０００８】
そして、上述の特許文献１−３に記載の技術では、ユーザーの口を覆うフード部分に、ユーザーが息を吸い込むための孔が無いため、口をフード部分で覆った上で発声し続けることが出来ないという課題がある。
【０００９】
そこで、本考案は、課題を解決するためになされたものであり、効果的に消音することが出来るとともに、ユーザーが口に覆った状態でも発声し続けることが可能であり、自分の声を適切に確認することが可能なマイク型発声消音器を提供することを目的とする。
【課題を解決するための手段】
【００１０】
本考案に係るマイク型発声消音器は、口まわり密着部と、支柱部と、土台部と、通気口と、貫通孔と、チューブと、イヤフォンと、を備える。口まわり密着部は、立位した碗状容器と、前記碗状容器の開口部の周端部に設けられた軟質素材の密着用筒とで構成され、前記密着用筒の先端がユーザーの口のまわりに密着可能である。支柱部は、前記碗状容器の下端部に前記碗状容器の下方に沿って設けられた取っ手用筒で構成され、ユーザーの手で把持可能である。土台部は、前記支柱部の下端部に設けられ、下端部が水平面に設置可能である。通気口は、前記碗状容器の内面の下端部から、前記支柱部を通り、前記土台部の下端部までを貫通するように形成されている。貫通孔は、前記碗状容器の内面の位置で、且つ、前記碗状容器の開口部から内部に向かって対向する位置に設けられ、前記碗状容器の内部から外部までを貫通するように形成されている。チューブは、前記貫通孔に接続されている。イヤフォンは、前記チューブに接続されている。
【考案の効果】
【００１１】
本考案によれば、効果的に消音することが出来るとともに、ユーザーが口を覆った状態でも発声し続けることが可能であり、自分の声を適切に確認することが可能となる。
【図面の簡単な説明】
【００１２】
【図１】本考案の実施形態に係るマイク型発声消音器の正面視斜視図と背面視斜視図とである。
【図２】本考案の実施形態に係るマイク型発声消音器の正面図と背面図とＡ−Ａ線断面図とである。
【図３】本考案の実施形態に係るマイク型発声消音器の右側面図と左側面図と平面図と底面図とである。
【図４】本考案の実施形態に係るマイク型発声消音器のイヤフォンを引っ掛け部から外した状態を示す斜視図である。
【図５】本考案の実施形態に係るマイク型発声消音器の使用状態を示す断面図である。
【図６】本考案の実施形態に係るマイク型発声消音器の使用状態を示す斜視図である。
【図７】本考案の実施形態に係るマイク型発声消音器にスポンジを装着する際の背面視斜視図とＡ−Ａ線断面図とである。
【図８】本考案の実施形態に係るマイク型発声消音器にスポンジを装着した際の使用状態を示す断面図である。
【図９】本考案の実施形態に係るマイク型発声消音器にスポンジ用の突起部を設けた場合の背面図とＡ−Ａ線断面図とである。
【図１０】実施例のマイク型発声消音器を用いた消音機能性試験の結果と試験中の写真の一例である。
【図１１】カロリー消費量試験の結果である。
【考案を実施するための形態】
【００１３】
以下に、添付図面を参照して、本考案の実施形態について説明し、本考案の理解に供する。尚、以下の実施形態は、本考案を具体化した一例であって、本考案の技術的範囲を限定する性格のものではない。
【００１４】
本考案に係るマイク型発声消音器１は、図１−図４に示すように、口まわり密着部１０と、支柱部１１と、土台部１２と、通気口１３と、貫通孔１４と、チューブ１５と、イヤフォン１６と、を備える。
【００１５】
口まわり密着部１０は、立位した碗状容器１０ａと、碗状容器１０ａの開口部の周端部に設けられた軟質素材の密着用筒１０ｂとで構成され、密着用筒１０ｂの先端がユーザーの口のまわりに密着可能である。
【００１６】
支柱部１１は、碗状容器１０ａの下端部に碗状容器１０ａの下方に沿って設けられた取っ手用筒で構成され、ユーザーの手で把持可能である。土台部１２は、支柱部１１の下端部に設けられ、下端部が水平面に設置可能である。
【００１７】
通気口１３は、碗状容器１０ａの内面の下端部から、支柱部１１を通り、土台部１２の下端部までを貫通するように形成されている。
【００１８】
貫通孔１４は、碗状容器１０ａの内面の位置で、且つ、碗状容器１０ａの開口部と対向する位置に設けられ、碗状容器１０ａの内部から外部までを貫通するように形成されている。チューブ１５は、貫通孔１４に接続され、イヤフォン１６は、チューブ１５に接続される。
【００１９】
これにより、効果的に消音することが出来るとともに、ユーザーが口を覆った状態でも発声し続けることが可能であり、自分の声を適切に確認することが可能となる。
【００２０】
例えば、図５−図６に示すように、ユーザーが、支柱部１１を持って、口まわり密着部１０の密着用筒１０ｂの先端を口のまわりに当てると、ユーザーの口のまわりに適切に密着させることが可能となる。更に、ユーザーが口を大きく空けても、密着用筒１０ｂの先端とユーザーの口のまわりとの密着状態を保つことが可能となる。これにより、ユーザーが口を大きく空けて発声したり歌を歌ったりしたとしても、音漏れを確実に防止することが出来る。
【００２１】
又、口まわり密着部１０において立位の碗状容器１０ａの側面、言い換えると、碗状容器１０ａの開口部から内部に向かって存在する側面が、ユーザーの口に対向するため、ユーザーが口を大きく空けて発声しても、立位の碗状容器１０ａが、内部でユーザーの発声音を受け止める。これにより、効果的に消音することが可能となり、ユーザーは、周囲に迷惑を掛けずに、家でカラオケの練習をすることが出来る。そして、ユーザーがマイク型発声消音器１で発声練習をすることで、歌を上手く歌えるようになったり、音程が良くなったり、声量や声の表現力の向上を図ることが出来る。尚、ユーザーは、ストレス発散のために、家で大声で叫んだりしても構わない。又、ユーザーは、本考案に係るマイク型発声消音器１を用いて、歌唱したり大声で叫んだりすることで、ユーザーのカロリー消費にも効果的で、一定のダイエット効果を期待することが出来る。
【００２２】
特に、本考案では、口まわり密着部１０と支柱部１１と土台部１２が、丁度、マイクの形状に類似するため、ユーザーは、あたかもマイクを使って歌を歌うように発声することが出来るため、ユーザーが気持ちよく発声し易い構成としている。
【００２３】
更に、通気口１３が、碗状容器１０の内面の下端部から土台部１２の下端部まで貫通していることから、ユーザーが口まわり密着部１０の内部に向かって発声すると、その音の一部は、通気口１３から逃げるものの、一方で、ユーザーが口まわり密着部１０の内部で息を吸うと、通気口１３から空気が口まわり密着部１０の内部を通ってユーザーの口に入る。そのため、ユーザーは、口まわり密着部１０を口のまわりに密着させた状態で発声することが出来るとともに、呼吸をすることが出来ることから、ユーザーは、口まわり密着部１０を口に覆った状態でも発声し続けることが可能となる。
【００２４】
そして、イヤフォン１６が、チューブ１５を介して碗状容器１０ａの貫通孔１４に接続しており、且つ、貫通孔１４がユーザーの声に当たりやすい位置に設けられているため、ユーザーが、イヤフォン１６を左右の耳のいずれかに装着して、口まわり密着部１０の内部に発声すると、口まわり密着部１０の内部に入った音の一部が、貫通孔１４に直接当たり、貫通孔１４を通ってイヤフォン１６に到達する。そのため、ユーザーは、自分の声を適切に確認することが可能となる。
【００２５】
又、本考案では、土台部１２を有するため、マイク型発声消音器１を使用しない場合は、ユーザーは、土台部１２の下端部を机や棚の水平面に設置して、マイク型発声消音器１を自立させることが出来るため、ユーザーの口のまわりに対面する口まわり密着部１０を水平面の上方に位置させておくことが可能であり、保管が容易で、衛生的である。
【００２６】
又、本考案では、各部の構成が簡単であるため、ユーザーは、マイク型発声消音器１を使用後に洗うことが可能であり、清潔に保つことが可能である。
【００２７】
ここで、口まわり密着部１０の碗状容器１０ａの素材に特に限定は無いが、例えば、硬質の合成樹脂等を挙げることが出来る。又、口まわり密着部１０の密着用筒１０ｂの素材は、軟質素材であれば、特に限定は無いが、例えば、軟質の合成樹脂や軟質のゴム等を挙げることが出来る。具体的には、スチレン系熱可塑性エラストマー(ＴＰＳ)、オレフィン系熱可塑性エラストマー(ＴＰＯ)、塩ビ系熱可塑性エラストマー(ＴＰＶＣ)、ポリエステル系熱可塑性エラストマー(ＴＰＥＥ)、ポリウレタン系熱可塑性エラストマー（ＴＰＵ）、ナイロン系熱可塑性エラストマー(ＴＰＡ)等の熱可塑性エラストマー（ＴＰＥ）（ＴＰＲ）やゴム等を挙げることが出来る。これらの素材により、密着用筒１０ｂを口のまわりに沿いやすくすることが可能となる。
【００２８】
又、支柱部１１や土台部１２の素材に特に限定は無いが、例えば、硬質の合成樹脂等を挙げることが出来る。又、チューブ１５やイヤフォン１６の素材に特に限定は無いが、例えば、軟質の合成樹脂や軟質のゴム等を挙げることが出来る。
【００２９】
又、碗状容器１０ａの形状に特に限定は無いが、例えば、半円球状や半楕円球状、半多角球状等を挙げることが出来る。又、碗状容器１０ａのサイズに特に限定は無いが、例えば、縦が１０ｃｍ−１５ｃｍの範囲内であり、横が５ｃｍ−１０ｃｍの範囲内であり、奥行きが２ｃｍ−５ｃｍの範囲内であると好ましい。
【００３０】
又、碗状容器１０ａの外表面の構成に特に限定は無いが、例えば、図１−図６に示すように、ガイコツマイクの模様を付しても良いし、その他のマイクの模様として、ハンドマイクの模様やレコーディングマイクの模様を付しても構わない。
【００３１】
又、密着用筒１０ｂの形状に特に限定は無いが、例えば、円筒形状や楕円筒形状、多角筒形状等を挙げることが出来る。又、密着用筒１０ｂの周端部は、例えば、右側面視で、上端から下端に向かって緩やかに傾斜して外部に突出する略三角形状であると、ユーザーの口のまわりに密着し易くすることが出来る。又、密着用筒１０ｂの周端部の先端の構成に特に限定は無いが、例えば、先端が外部に向かって放射状に広がるように構成すると、密着用筒１０ｂの先端がユーザーの口のまわりにより密着するため、音漏れを確実に防止することが出来る。
【００３２】
又、密着用筒１０ｂのサイズに特に限定は無いが、例えば、縦が１０ｃｍ−１５ｃｍの範囲内であり、横が５ｃｍ−１０ｃｍの範囲内であり、奥行きが２ｃｍ−５ｃｍの範囲内であると好ましい。
【００３３】
又、支柱部１１は、取っ手用筒であれば、特に限定は無いが、例えば、円筒形状や楕円筒形状、多角筒形状等を挙げることが出来る。又、支柱部１１のサイズに特に限定は無いが、例えば、縦が５ｃｍ−１５ｃｍの範囲内であり、横が１ｃｍ−５ｃｍの範囲内であり、奥行きが１ｃｍ−５ｃｍの範囲内であると好ましい。
【００３４】
ここで、支柱部１１のうち、上端部に設けられ、口まわり密着部１０の碗状容器１０ａと接続する接続部１１ａの構成に特に限定は無いが、例えば、接続部１１ａは、軟質の素材で構成すると好ましい。これにより、口まわり密着部１０の碗状容器１０ａと支柱部１１が、接続部１１ａを介して曲がったり、しなったりするため、支柱部１１に対する碗状容器１０ａの角度を調整することが可能となり、ユーザーが支柱部１１を持って口まわり密着部１０の密着用筒１０ｂを口のまわりに密着し易くすることが出来る。
【００３５】
又、土台部１２の形状に特に限定は無いが、例えば、円錐台状や楕円錐台状、多角錐台状等を挙げることが出来る。土台部１２の形状は、図１−図２に示すように、円錐台の下面に円盤を設けた形状であっても構わない。土台部１２の下面は、水平面に設置可能であるため、平面を有すると好ましい。
【００３６】
又、通気口１３の構成に特に限定は無いが、例えば、図２に示すように、支柱部１１と接続される碗状容器１０ａの内面の下端部の所定の位置から支柱部１１の中心軸に沿って貫通し、土台部１２の内部をくりぬいた空間に接続するように構成されても良い。一方、通気口１３は、単純に、碗状容器１０ａの内面の下端部の所定の位置から支柱部１１の中心軸に沿って土台部１２の下面まで貫通するように形成された構成であっても構わない。
【００３７】
又、貫通孔１４の構成に特に限定は無いが、例えば、図２に示すように、碗状容器１０ａの内面の下方近傍から内部に膨出した膨出部１０ｃを設け、膨出部１０ｃは、碗状容器１０ａの開口部から内部に向かって対向する位置に存在し、当該膨出部１０ｃから碗状容器１０ａの外部に向かって水平方向に貫通するように形成された構成を挙げることが出来る。一方、貫通孔１４は、単純に、碗状容器１０ａの内面の下方近傍から碗状容器１０ａの外部に向かって水平方向に貫通するように形成された構成であっても構わない。
【００３８】
又、チューブ１５のサイズに特に限定は無いが、例えば、長手方向の長さが１０ｃｍ−３０ｃｍの範囲内であると好ましい。
【００３９】
又、イヤフォン１６の構成に特に限定は無いが、例えば、耳穴に装着されるイヤーピース１６ａを、耳の端部に装着されるイヤフォンハウジング１６ｂに対して回動可能に構成することで、ユーザーの左右の耳のいずれにも装着可能にして、両耳対応の構成にしても構わない。一方、イヤフォン１６は、イヤーピース１６ａをイヤフォンハウジング１６ｂに対して固定して、片耳対応の構成にしても構わない。
【００４０】
又、イヤフォン１６の形状に特に限定は無いが、例えば、図１−図６に示すように、耳掛け型のイヤフォンでもよいし、インナーイヤー型のイヤフォンでもよいし、カナル型のイヤフォンでも構わない。
【００４１】
又、図１−図３に示すように、碗状容器１０ａの左右の両側端部のいずれか又は両方に、イヤフォン１６を引っ掛けるための引っ掛け部１０ｄを設けて、イヤフォン１６を使用しない場合は、イヤフォン１６を引っ掛け部１０ｄに引っ掛けて収納するよう構成しても構わない。
【００４２】
ここで、本考案に係るマイク型発声消音器１は、図７−図８に示すように、碗状容器１０ａの側面の位置で、且つ、碗状容器１０ａの開口部から内部に向かって対向する位置に着脱可能に設けられたスポンジ１７を更に備えても良い。スポンジ１７を備えることで、ユーザーが発した声をスポンジ１７が吸収するため、より減音効果、消音効果を得ることが可能となる。又、碗状容器１０ａの側面に着脱可能にスポンジ１７を設けることで、ユーザーは使用後のスポンジ１７を洗浄することが可能となり、清潔に保つことが出来る。
【００４３】
ここで、スポンジ１７の形状に特に限定は無いが、例えば、楕円柱状や円柱状、多角柱状等を挙げることが出来る。スポンジ１７は、図７−図８に示すように、碗状容器１０ａの内面に膨出部１０ｃが設けられている場合は、膨出部１０ｃに対応する部分１７ａを切断して、碗状容器１０ａの側面に対応する凹状の形状にすると好ましい。
【００４４】
又、スポンジ１７の素材に特に限定は無いが、例えば、ポリウレタンフォームや発泡ポリエチレン（ＥＰＥ）、メラミン樹脂の発泡体、天然スポンジ等を挙げることが出来る。又、スポンジ１７は、例えば、表面に抗菌加工を施したり、内部に抗菌粒子を浸透させたりすることで、抗菌機能を付与しても構わない。
【００４５】
又、例えば、図９に示すように、湾状容器１０ａの内周面の所定の位置、例えば、内周面の上端部や左右端部のそれぞれに突起部１０ｅを設け、碗状容器１０ａの側面にスポンジ１７を装着した際に、突起部１０ｅがスポンジ１７に引っ掛かり、スポンジ１７が湾状容器１０ａから容易に外れないよう構成しても良い。これにより、ユーザーがマイク型発声消音器１で熱唱してマイク型発声消音器１を大きく動かしたとしても、湾状容器１０ａの側面からスポンジ１７が外れにくくなっているため、減音効果、消音効果を継続させることが可能となる。
【００４６】
又、本考案に係るマイク型発声消音器１の構成に、更に、他の機能や他のデザインを追加しても構わない。
【実施例】
【００４７】
以下に、本考案における実施例等を具体的に説明するが、本考案の適用が本実施例などに限定されるものではない。
【００４８】
先ず、図１−図６の図面に基いて、本考案に係るマイク型発声消音器１を実施例として試作した。この実施例を用いて、消音機能性試験を実施した。消音機能性試験は、一般財団法人日本文化用品安全試験所に依頼し、半無響室で、スピーカーを木台上に上向きに設置し、更に、スピーカーにモック（模擬物）を取り付け、スピーカーの正面から約１８ｃｍ離れた位置にマイクロホンを設置した。次に、スピーカーに既知の周波数の測定用精密信号（ＡＵＤＩＯ  ＴＥＳＴ  ＣＤ−１）を約９０ｄｂの音圧（ＬｐＡｅｑ）で出力して、マイクロホンで周波数毎の音圧を測定した。周波数は、１２５Ｈｚから４０００Ｈｚまでとした。
【００４９】
更に、図１０に示すように、モックに実施例のマイク型発声消音器１の口まわり密着部の碗状容器１０ａの開口部を被せた上で、ゴムバンドでモックに実施例を固定し、同様に、スピーカーに既知の周波数の測定用精密信号（ＡＵＤＩＯ  ＴＥＳＴ  ＣＤ−１）を約９０ｄｂの音圧（ＬｐＡｅｑ）で出力して、マイクロホンで周波数毎の音圧を測定した。
【００５０】
その結果、図１０に示すように、実施例の取り付けがない場合の音圧（ｄＢ）はすべて９０ｄＢであったが、実施例の取り付けがある場合の音圧（ｄＢ）は、いずれの周波数でも９０ｄＢよりも低くなり、平均値は７５ｄＢであった。つまり、実施例を設けることで、音圧が９０ｄＢから７５ｄＢまで低減した。ここで、音圧９０ｄＢが所定の基準に対して３１６２２倍の音圧比であり、音圧７５ｄＢが同様の基準に対して５６２３倍の音圧比であるため、音圧差の１５ｄＢを音圧比に換算すると、約８２％の消音効果があると確認された。
【００５１】
次に、発声者のカロリー消費量試験を実施した。カロリー消費量試験は、ユニチカガーメンテック株式会社リサーチラボ事業本部に依頼し、室温３５度、湿度４０％ＲＨの室内で、三人の被験者（４４歳の男性、４６歳の女性、４４歳の女性）が指定の曲目を立位状態で大声で歌唱し、歌唱のカロリー消費量をモバイルエアロモニタ（ミナト医科学株式会社製、ＡＥ−１００ｉ）で測定した。
【００５２】
その結果、図１１に示すように、いずれの曲目でも６ｋｃａｌ以上のカロリー消費量が確認された。曲面の分数に応じてカロリー消費量を算出し、平均値を算出すると、１曲に対して約７．５９ｋｃａｌのカロリー消費量があると確認された。
【００５３】
つまり、仮に、ユーザーが実施例を使って大声で歌唱した場合、実施例により消音効果が認められるとともに、ユーザーにカロリー消費が認められることになる。その結果、ユーザーは、本考案に係るマイク型発声消音器を用いて、周囲を気にすることなく、一人で発声練習することが出来るとともに、ユーザーのカロリー消費にも効果的であり、ダイエットとして効果があることが分かった。
【産業上の利用可能性】
【００５４】
以上のように、本考案は、自宅等でカラオケの練習や発声練習などをするためのマイク型発声消音器として有用であり、効果的に消音することが出来るとともに、ユーザーが口に覆った状態でも発声し続けることが可能であり、自分の声を適切に確認することが可能なマイク型発声消音器として有効である。
【符号の説明】
【００５５】
１    マイク型発声消音器
１０  口まわり密着部
１１  支柱部
１２  土台部
１３  通気口
１４  貫通孔
１５  チューブ
１６  イヤフォン
１７  スポンジ
【図１】
0003232076.tif 000003
【図２】
0003232076.tif 000004
【図３】
0003232076.tif 000005
【図４】
0003232076.tif 000006
【図５】
0003232076.tif 000007
【図６】
0003232076.tif 000008
【図７】
0003232076.tif 000009
【図８】
0003232076.tif 000010
【図９】
0003232076.tif 000011
【図１０】
0003232076.tif 000012
【図１１】
0003232076.tif 000013